(57)【要約】【課題】この発明は、音声出力端子の数を増加させることなく、多チャンネルの音声信号を全て出力することを可能とし、ユーザにとっての取り扱いを便利にし得るようにした音声再生装置を提供することを目的としている。【解決手段】記録媒体（１２）からそこに記録されたデジタル信号を読み取る手段（１３）と、読み取ったデジタル信号からメイン音声信号とそれ以外の音声信号とを分離する手段（１４）と、分離されたメイン音声信号の全チャンネルを外部に出力する第１のインターフェース手段（１８）と、分離されたメイン音声信号以外の音声信号を外部に出力する第２のインターフェース手段（２２）とを備える。【選択図】      図１
2008160179.tif 000002
【特許請求の範囲】
【請求項１】
記録媒体からそこに記録されたデジタル信号を読み取る読み取り手段と、
前記読み取り手段で読み取られたデジタル信号からメイン音声信号とそれ以外の音声信号とを分離する分離手段と、
前記分離手段で分離されたメイン音声信号の全チャンネルを外部に出力する第１のインターフェース手段と、
前記分離手段で分離されたメイン音声信号以外の音声信号を外部に出力する第２のインターフェース手段とを具備することを特徴とする音声再生装置。
【請求項２】
前記第２のインターフェース手段は、前記分離手段で分離されたメイン音声信号以外の音声信号を混合して外部に出力することを特徴とする請求項１記載の音声再生装置。
【請求項３】
前記第２のインターフェース手段は、前記分離手段で分離されたメイン音声信号以外の音声信号の全チャンネルをそれぞれ外部に出力することを特徴とする請求項１記載の音声再生装置。
【請求項４】
前記第１及び第２のインターフェース手段は、ＨＤＭＩ規格及びデジタルオーディオインターフェース規格のいずれかに準拠したものであることを特徴とする請求項１記載の音声再生装置。
【請求項５】
前記記録媒体はＨＤ ＤＶＤであり、前記メイン音声信号以外の音声信号は、サブ・エフェクト音声信号であることを特徴とする請求項１記載の音声再生装置。
【請求項６】
記録媒体からそこに記録されたデジタル信号を読み取る読み取り手段と、前記読み取り手段で読み取られたデジタル信号からメイン音声信号とそれ以外の音声信号とを分離する分離手段と、前記分離手段で分離されたメイン音声信号の全チャンネルを外部に出力する第１のインターフェース手段と、前記分離手段で分離されたメイン音声信号以外の音声信号を外部に出力する第２のインターフェース手段とを備えた第１の音声再生装置と、
前記第１のインターフェース手段を介して出力されるメイン音声信号を受信する第１の受信手段と、前記第２のインターフェース手段を介して出力される音声信号を受信する第２の受信手段と、前記第１及び第２の受信手段で受信された各音声信号に所定の信号処理を施して音声再生する処理手段とを備えた第２の音声再生装置とを具備することを特徴とする音声再生システム。
【発明の詳細な説明】
【技術分野】
【０００１】
この発明は、例えばＨＤ（high definition）ＤＶＤ（digital versatile disk）プレーヤのような光ディスク再生装置等に使用される音声再生装置の改良に関する。
【背景技術】
【０００２】
周知のように、首記の如き光ディスク再生装置は、光ディスクを再生して得られた映像信号及び音声信号を外部に出力するための映像出力端子及び音声出力端子を備えており、音声再生機能を備えた例えばＡＶ（audio video）アンプ等を音声出力端子に接続することによって、音声の再生が行なわれるようになっている。
【０００３】
ところで、現在、ＨＤ ＤＶＤでは、最大で７．１チャンネルの音声信号が記録可能となっている。また、ＨＤ ＤＶＤ advanced contentsの場合は、７．１チャンネルのメイン（主）音声信号に加えて、それぞれ２チャンネルのサブ（副）・エフェクト（効果）音声信号を同時に出力することが可能となっている。
【０００４】
このように光ディスクから得られる音声信号のチャンネル数が増大している現状において、光ディスク再生装置では、その音声出力端子の数をむやみに増加させることを防止するために、複数のチャンネルの音声信号をミクシングして音声出力端子から出力させるようにしている。
【０００５】
このため、現状では、光ディスク再生装置の音声出力端子に、多チャンネルの音声信号を再生する機能を備えた高性能なＡＶアンプ等を接続し、光ディスクから得られた複数のチャンネルの音声信号をそれぞれ独立に再生して高音質な音声再生を行なうといった使い方が不可能になっている。
【０００６】
特許文献１には、光ディスク再生装置において、光ディスクから取得した複数チャンネルの音声信号をミクシングし、そのミクシングされた音声信号に符号化処理を施して外部に出力させることにより、音声復号化機能を有するＡＶアンプ等を接続することができるようにした構成が開示されている。
【特許文献１】特開２００６−１９７３９１号公報
【発明の開示】
【発明が解決しようとする課題】
【０００７】
そこで、この発明は上記事情を考慮してなされたもので、音声出力端子の数を増加させることなく、多チャンネルの音声信号を全て出力することを可能とし、ユーザにとっての取り扱いを便利にし得るようにした音声再生装置を提供することを目的とする。
【課題を解決するための手段】
【０００８】
この発明に係る音声再生装置は、記録媒体からそこに記録されたデジタル信号を読み取る読み取り手段と、読み取り手段で読み取られたデジタル信号からメイン音声信号とそれ以外の音声信号とを分離する分離手段と、分離手段で分離されたメイン音声信号の全チャンネルを外部に出力する第１のインターフェース手段と、分離手段で分離されたメイン音声信号以外の音声信号を外部に出力する第２のインターフェース手段とを備えるようにしたものである。
【発明の効果】
【０００９】
上記した発明によれば、メイン音声信号の全チャンネルを外部に出力する第１のインターフェース手段と、メイン音声信号以外の音声信号を外部に出力する第２のインターフェース手段とを備えるようにしたので、音声出力端子の数を増加させることなく、多チャンネルの音声信号を全て出力することを可能とし、ユーザにとっての取り扱いを便利にすることができる。
【発明を実施するための最良の形態】
【００１０】
以下、この発明の実施の形態について図面を参照して詳細に説明する。図１は、この実施の形態で説明する音声再生装置として光ディスク再生装置１１の一例を示している。この光ディスク再生装置１１は、例えばＨＤ ＤＶＤ等の光ディスク１２が着脱可能なディスクドライブ部１３を有している。
【００１１】
このディスクドライブ部１３は、装着された光ディスク１２から、その記録されたデジタル信号を読み取り、ＤＳＰ（digital signal processor）部１４に出力している。このＤＳＰ部１４は、入力されたデジタル信号に所定のデジタル信号処理を施し、映像信号とメイン音声信号とサブ・エフェクト音声信号とを分離する。
【００１２】
そして、ＤＳＰ部１４で分離された映像信号は、映像信号処理部１５に供給されてデコード処理等の所定の映像信号処理が施された後、映像出力端子１６を介して外部に導出される。この映像出力端子１６には、例えば液晶モニタ等の図示しない映像表示装置が接続され、その出力映像信号に基づいて映像表示が行なわれるようになっている。
【００１３】
また、上記ＤＳＰ部１４で分離されたメイン音声信号は、メインデコーダ部１７に供給される。このメインデコーダ部１７は、入力されたメイン音声信号に所定のデコード処理を施して、最大で７．１チャンネルのＰＣＭ（pulse code modulation）信号に変換し、ＨＤＭＩ（high definition multimedia interface）送信部１８に出力している。
【００１４】
このＨＤＭＩ送信部１８は、ＰＣＭ化されたメイン音声信号に対してＨＤＭＩ規格に準拠した変換処理を施し、音声出力端子１９を介して外部に出力している。すなわち、ＨＤＭＩ送信部１８は、音声出力端子１９を介して最大で７．１チャンネルのメイン音声信号を外部出力することが可能となっている。
【００１５】
さらに、上記ＤＳＰ部１４で分離されたサブ・エフェクト音声信号は、サブ・エフェクトデコーダ部２０に供給される。このサブ・エフェクトデコーダ部２０は、入力されたサブ・エフェクト音声信号に所定のデコード処理を施して、サブ（２チャンネル）・エフェクト（２チャンネル）のＰＣＭ信号に変換し、ミクサ部２１に出力している。
【００１６】
このミクサ部２１は、それぞれＰＣＭ化されたサブ（２チャンネル）・エフェクト（２チャンネル）の音声信号を混合して、２チャンネルのサブ・エフェクト音声信号を生成し、ＤＩＴ（digital interface transmitter）部２２に出力している。このＤＩＴ部２２は、入力されたサブ・エフェクト音声信号に対して、ＩＥＣ（international electrotechnical commission）６０９５８／６１９３７に基づく光インターフェース規格に準拠した変換処理を施し、音声出力端子２３を介して外部に出力している。すなわち、ＤＩＴ部２２は、音声出力端子２３を介して２チャンネルのサブ・エフェクト音声信号を外部出力することが可能となっている。
【００１７】
ここで、この光ディスク再生装置１１は、上記した各種の再生動作を含むその全ての動作を制御部２４によって統括的に制御されている。この制御部２４は、ＣＰＵ（Central Processing Unit）等を内蔵しており、操作部２５から、または、リモートコントローラ２６から受光部２７を介して受信した操作情報に基づいて、その操作内容が反映されるように各部をそれぞれ制御している。
【００１８】
この場合、制御部２４は、メモリ部２８を利用している。このメモリ部２８は、主として、そのＣＰＵが実行する制御プログラムを格納したＲＯＭ（read only memory）と、該ＣＰＵに作業エリアを提供するＲＡＭ（random access memory）と、各種の設定情報及び制御情報等が格納される不揮発性メモリとを備えている。
【００１９】
図２は、上記光ディスク再生装置１１の音声出力端子１９，２３に接続されて音声再生を行なうＡＶアンプ２９の一例を示している。すなわち、上記光ディスク再生装置１１の音声出力端子１９から出力されるメイン音声信号は、音声入力端子３０を介してＨＤＭＩ受信部３１で受信された後、音声信号処理部３２に供給される。
【００２０】
また、上記光ディスク再生装置１１の音声出力端子２３から出力されるサブ・エフェクト音声信号は、音声入力端子３３を介してＤＩＲ（digital interface receiver）部３４で受信された後、上記音声信号処理部３２に供給される。
【００２１】
この音声信号処理部３２は、例えば、混合部（mixer）、サンプリングレート変換部（sampling rate converter）、音声遅延制御部（delay manager）、音声チャンネルセッティング部（bass manager）等を備え、ユーザの要求により、メイン音声信号及びサブ・エフェクト音声信号に対して、チャンネル相互間または信号相互間での混合、サンプリングレートの変換、遅延制御、チャンネルセッティング等の各種信号処理を施すことが可能である。
【００２２】
そして、この音声信号処理部３２で所定の信号処理の施された音声信号は、Ｄ／Ａ（digital／analog）変換部３５でアナログの音声信号に変換され、増幅部３６でゲイン調整された後、スピーカ３７によって奏鳴され、ここに、光ディスク再生装置１１で再生された音声信号がＡＶアンプ２９によって音声再生されることになる。
【００２３】
上記した実施の形態によれば、光ディスク再生装置１１は、その音声出力端子１９から最大で７．１チャンネルのメイン音声信号を外部出力することが可能であり、その音声出力端子２３から２チャンネルのサブ・エフェクト音声信号を外部出力することが可能となっている。つまり、２つの音声出力端子１９，２３だけを用いて、光ディスク１２から得られる全チャンネルの音声信号を、混合することなく全て出力することが可能となっている。
【００２４】
このため、ＡＶアンプ２９として、７．１チャンネルのメイン音声信号をそれぞれ再生する機能と、２チャンネルのサブ・エフェクト音声信号をサブ（２チャンネル）・エフェクト（２チャンネル）の音声信号に戻してそれぞれ再生する機能とを有するものを使用すれば、光ディスクから得られる全てのチャンネル（１１．１チャンネル）の音声信号をそれぞれ独立に再生して、高音質な音声再生を実現することができる。
【００２５】
また、ＡＶアンプ２９で、メイン音声信号とサブ・エフェクト音声信号とを混合して、既存の５．１チャンネルの音声出力を行なうことも可能である。要するに、ＡＶアンプ２９の性能次第で、光ディスク１２から得られる全チャンネルの音声信号を、任意の形態で再生することができるようになり、ユーザにとっての取り扱いの自由度を向上させることができる。
【００２６】
図３は、上記光ディスク再生装置１１の変形例を示している。図３において、図１と同一部分には同一符号を付して説明すると、サブ・エフェクトデコーダ部２０でＰＣＭ化されたそれぞれサブ（２チャンネル）・エフェクト（２チャンネル）の音声信号を、ミクサ部２１で混合せず、ＨＤＭＩ送信部３８でＨＤＭＩ規格に準拠した変換処理を施し、そのままのチャンネル数で音声出力端子２３から外部に出力するようにしている。すなわち、光ディスク再生装置１１が、ＨＤＭＩ規格に準拠した２つの音声出力端子１９，２３を備えた例を示している。
【００２７】
図４は、図３に示した光ディスク再生装置１１の音声出力端子１９，２３に接続されて音声出力を行なうＡＶアンプ２９の一例を示している。図４において、図２と同一部分には同一符号を付して説明すると、上記光ディスク再生装置１１の音声出力端子２３から出力されるサブ・エフェクト音声信号を、音声入力端子３３を介してＨＤＭＩ受信部３９で受信し、音声信号処理部３２に供給するようにしたものである。
【００２８】
図３及び図４に示した変形例によっても、光ディスク再生装置１１が、２つの音声出力端子１９，２３だけで、光ディスク１２から得られる全チャンネルの音声信号を出力することが可能であり、ＡＶアンプ２９の性能次第で、光ディスク１２から得られる全チャンネルの音声信号を、任意の形態で再生することができるようになる。
【００２９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３０】
【図１】この発明の実施の形態を示すもので、光ディスク再生装置の一例を説明するために示すブロック構成図。
【図２】同実施の形態における光ディスク再生装置に接続されるＡＶアンプの一例を説明するために示すブロック構成図。
【図３】同実施の形態における光ディスク再生装置の変形例を説明するために示すブロック構成図。
【図４】同実施の形態における光ディスク再生装置の変形例に接続されるＡＶアンプの一例を説明するために示すブロック構成図。
【符号の説明】
【００３１】
１１…光ディスク再生装置、１２…光ディスク、１３…ディスクドライブ部、１４…ＤＳＰ部、１５…映像信号処理部、１６…映像出力端子、１７…メインデコーダ部、１８…ＨＤＭＩ送信部、１９…音声出力端子、２０…サブ・エフェクトデコーダ部、２１…ミクサ部、２２…ＤＩＴ部、２３…音声出力端子、２４…制御部、２５…操作部、２６…リモートコントローラ、２７…受光部、２８…メモリ部、２９…ＡＶアンプ、３０…音声入力端子、３１…ＨＤＭＩ受信部、３２…音声信号処理部、３３…音声入力端子、３４…ＤＩＲ部、３５…Ｄ／Ａ変換部、３６…増幅部、３７…スピーカ、３８…ＨＤＭＩ送信部、３９…ＨＤＭＩ受信部。
【図１】
2008160179.tif 000003
【図２】
2008160179.tif 000004
【図３】
2008160179.tif 000005
【図４】
2008160179.tif 000006